(57)【要約】  【課題】カラオケ利用時、現に曲間映像が出力されている最中に、利用者が所持するブラウザ機能を有した利用者携帯端末に対し、その曲間映像の関連情報が掲載された所定のモバイルＷｅｂサイトに容易かつ正確にアクセスでき、リアルタイムでさらに詳細な曲間映像の関連情報を個々のカラオケ利用者に効率的に与えることができるシステムの提供。  【解決手段】モバイルＷｅｂサイトのサイトアドレスを提供するためのＷＷＷサーバ（２）を主体とし、個々の曲間映像を、それぞれ予め定められた時刻に、カラオケホスト装置（３）とネットワーク接続された各カラオケ演奏端末（５，５…）にて一斉出力されるように構成すると共に、ＷＷＷサーバ（２）は、当該時刻に現に出力されている曲間映像の関連情報が掲載されたモバイルＷｅｂサイトのサイトアドレスに順次更新し、これを利用者携帯端末（４，４…）に提供するシステムを構築した。【選択図】図１
2006071715.tif 000002
【特許請求の範囲】
【請求項１】
カラオケホスト装置とネットワーク接続された任意のカラオケ演奏端末にて、カラオケ楽曲の非演奏時に出力される曲間映像について、その関連情報が掲載された所定のモバイルＷｅｂサイトにアクセス可能な利用者携帯端末に、当該モバイルＷｅｂサイトのサイトアドレスを提供するためのＷＷＷサーバを主体としてなり、
（ア）前記各曲間映像は、それぞれ予め定められた時刻に、前記各カラオケ演奏端末にて一斉出力されるように構成されてなると共に、
（イ）前記ＷＷＷサーバは、前記予め定められた時刻毎、現に出力されている曲間映像の関連情報が掲載された所定のモバイルＷｅｂサイトのサイトアドレスに順次更新し、利用者携帯端末のアクセス時、これを当該利用者携帯端末に提供するように構成されてなる、
カラオケ曲間映像関連情報提供システム。
【発明の詳細な説明】
【技術分野】
【０００１】
本発明は、カラオケ楽曲の非演奏時に出力される曲間映像について、その関連情報が掲載された所定のモバイルＷｅｂサイトのサイトアドレスをブラウザ機能付き利用者携帯端末に提供するためのシステムに関する。
【背景技術】
【０００２】
最近のカラオケ演奏端末は、その付帯するディスプレイに映像出力する、カラオケ利用者が予約したカラオケ楽曲を演奏する演奏モードの他に通称「曲間ＣＭ」モードがあり、カラオケ楽曲の非演奏時に自動的にモードが切替わるように構成されている。すなわち、現在のカラオケシステムでは、利用者がカラオケ楽曲を予約登録する前の時間や予約登録されたカラオケ楽曲の演奏間ないし演奏前後に、広告を主目的とした曲間映像が自動的に出力される。この曲間映像には様々な種類があり、例えば、新譜やお奨め曲ないし新人アーティストの紹介あるいは地域性や時事性のあるサービスや商品の紹介、さらには、カラオケ楽曲に関連した音楽ＣＤやＤＶＤの紹介などがあり、これらの情報はカラオケを楽しみながら得ることができるため、カラオケ利用者の情報源として非常に役立っている。
【０００３】
従来、曲間映像を出力するカラオケ演奏端末に関する技術は多々想到されている。例えば、特許文献１では、曲紹介の曲間ＣＭを設け、これによってカラオケ楽曲を１曲づつ紹介している時に、カラオケリモコン装置から簡略なキー操作を行うことにより、その楽曲を自動的に演奏する技術が開示されている。また、特許文献２では、利用者にモード切り替え時の操作負担をかけることなく、複数の実行モードのそれぞれについて、利用者のニーズに合わせた適切な音響設定状態を自動的に提供できるようにする技術が開示されている。
【０００４】
しかしながら、従来の曲間映像は、通常、テレビＣＭのように限られた短い時間でスポット的にして、各曲間映像を連続して出力するように構成されているため、利用者が関心を寄せる曲間映像であっても、その情報内容がある程度限定されてしまうという不都合がある。そこで、さらに詳細な関連情報を与えるための手段が必要とされるが、最近では、ＨＴＴＰ（Hyper Text Transfer Protocol）を利用したＷＷＷ（World Wide Web）サーバが提供する所定のＷｅｂサイトを利用する技術が普及しており、このような技術を組み入れた技術も想到されている。
【０００５】
例えば、特許文献３では、所定の音楽関連情報を掲載するＷｅｂサイトのサイトアドレス、通称「ＵＲＬ」（Uniform Resource Locator）を与え、これに基づき、当該Ｗｅｂサイトにアクセスできるカラオケ演奏端末付帯のブラウザ装置に関する技術が開示され、これにより、利用者が所望するカラオケ楽曲の関連情報などを効率良く得ることができる。そして、最近ではＷＷＷサーバが提供する所定のモバイルＷｅｂサイトにアクセス可能なブラウザ（Browser）機能を有した携帯電話やＰＤＡ（Personal
Digital Assistant）といった利用者携帯端末の普及と性能向上により、このようなこのような個人用モバイル情報ツールを利用して、個々の利用者が何時何処でも簡単に情報を得ることができるようになった。
【特許文献１】特開２０００−０９９０４５号公報
【特許文献２】特開２００２−２４４６７４号公報
【特許文献３】特開２００２−２８７７７８号公報
【発明の開示】
【発明が解決しようとする課題】
【０００６】
このような、従来の曲間映像の情報量不足という不都合と個人用モバイル情報ツールの現状を踏まえ、本発明は、カラオケの利用時、現に曲間映像が出力されている最中に、利用者が所持するブラウザ機能を有した利用者携帯端末に対し、その曲間映像の関連情報が掲載された所定のモバイルＷｅｂサイトに容易かつ正確にアクセスでき、リアルタイムでさらに詳細な曲間映像の関連情報を個々のカラオケ利用者に効率的に与えることができるシステムの提供を課題とする。
【課題を解決するための手段】
【０００７】
上記課題を鑑み、本発明者らは、モバイルＷｅｂサイトのサイトアドレスを提供するためのＷＷＷサーバを主体とし、個々の曲間映像を、それぞれ予め定められた時刻に、カラオケホスト装置とネットワーク接続された各カラオケ演奏端末にて一斉出力されるように構成すると共に、ＷＷＷサーバは、当該時刻に現に出力されている曲間映像の関連情報が掲載されたモバイルＷｅｂサイトのサイトアドレスに順次更新し、利用者携帯端末に提供するシステムを構築することで、上記課題を解決できることを見出し、本発明のカラオケ曲間映像関連情報提供システムを想到した。
【０００８】
すなわち、本発明のカラオケ曲間映像関連情報提供システムは、カラオケホスト装置とネットワーク接続された任意のカラオケ演奏端末にて、カラオケ楽曲の非演奏時に出力される曲間映像について、その関連情報が掲載された所定のモバイルＷｅｂサイトにアクセス可能な利用者携帯端末に、当該モバイルＷｅｂサイトのサイトアドレスを提供するためのＷＷＷサーバを主体としてなり、
（ア）前記各曲間映像は、それぞれ予め定められた時刻に、前記各カラオケ演奏端末にて一斉出力されるように構成されてなると共に、
（イ）前記ＷＷＷサーバは、前記予め定められた時刻毎、現に出力されている曲間映像の関連情報が掲載された所定のモバイルＷｅｂサイトのサイトアドレスに順次更新し、利用者携帯端末のアクセス時、これを当該利用者携帯端末に提供するように構成されてなることを特徴とする。
【発明の効果】
【０００９】
本発明のカラオケ曲間映像関連情報提供システムによれば、曲間映像が出力されている最中に、現に出力されている曲間映像の関連情報が掲載された所定のモバイルＷｅｂサイトのサイトアドレスに順次更新して提供されるため、関連情報が掲載された所定のモバイルＷｅｂサイトに容易かつ正確にアクセスでき、リアルタイムでさらに詳細な曲間映像の関連情報を個々のカラオケ利用者に効率的に与えることができるといった効果を奏する。
【発明を実施するための最良の形態】
【００１０】
以下、本発明のカラオケ曲間映像関連情報提供システムについて、先ず、図１に示す、本発明のカラオケ曲間映像関連情報提供システムの概略的構成図に基づき、本システムの全体構成について説明する。
【実施例１】
【００１１】
図１は、本発明のカラオケ曲間映像関連情報提供システムの全体構成を示し、本実施例のカラオケ曲間映像関連情報提供システム（１）は、カラオケボックスの店舗内に設置された複数のカラオケルーム（Ｒ，Ｒ…）のそれぞれに備えられたカラオケ演奏端末（５，５…）にて出力される曲間映像について、その関連情報が掲載された所定のモバイルＷｅｂサイトにアクセス可能な利用者携帯端末（４）に、当該モバイルＷｅｂサイトのサイトアドレスを提供するためのＷＷＷサーバ（２）を主体としている。
【００１２】
ここで、本実施例におけるカラオケ演奏端末（５）について少々説明する。カラオケ演奏端末（５）には大容量のハードディスク装置（図示省略）が備えられ、これには多数のカラオケ楽曲のＭＩＤＩデータを主体とした伴奏音楽データや、歌詞画像の生成起源となる歌詞抽出データ、所定形式の長時間分の動画データや、動画データの処理シーケンス（処理すべき背景動画データの格納場所と処理順番）を規定した台本データや演奏可能なカラオケ楽曲についての曲名やアーティスト名、発表年、歌詞の歌い出し部分などのカラオケ楽曲データに加え、カラオケ楽曲の非演奏時に出力される曲間映像についての各種データも格納されている。そして、各種機能手段を制御して演奏端末全体を統括管理している中央制御部（図示省略）が備えられ、この中央制御部は、各楽曲のカラオケ楽曲データや曲間映像データを、そのＩＤ情報によって識別してこれらを管理している。
【００１３】
各カラオケ演奏端末（５，５…）は店舗内ＬＡＮ（Ｌ）に接続され、店舗内の情報処理システムに組み込まれており、ＬＡＮ（Ｌ）上の１台のコンピュータとして認識される。この情報処理システムは、店舗における会計や各カラオケルーム（Ｒ，Ｒ…）への入退室管理などの業務を行う管理コンピュータ（図示省略）などにより構成されていると共に、ＡＤＳＬやＩＳＤＮといった通信回線（Ｃ）介してインターネット（Ｎｉ）にも接続されており、カラオケ事業者が管理するＶＰＮ（Virtual Private Network）を用いて、通信カラオケシステム用のカラオケホスト装置（３）に接続している。
【００１４】
なお、カラオケホスト装置（３）はカラオケ事業者専用コンピュータであり、各カラオケ演奏端末（５，５…）に対してカラオケ楽曲データや曲間映像データを適時に配信したり、あるいは、各カラオケ演奏端末（５，５…）にて随時収拾される稼働ログなどを集信したりする。そして、各カラオケ演奏端末（５，５…）の中央制御部は、ネットワークインタフェイスを介して店舗ＬＡＮ（Ｌ）およびＶＰＮに接続し、このカラオケホスト装置（３）と通信することで、当該ホスト装置（３）と各種データの授受を行う。各カラオケ演奏端末（５，５…）の通信制御部はＤＭＡ（Direct Memory Access）回路を内蔵しており、ダウンロードされた楽曲データや曲間映像データを直接ハードディスクに書き込むことができ、このハードディスクには楽曲データを記憶した楽曲データファイルおよび曲間映像データを記憶した曲間映像データファイルが設定されている。
【００１５】
具体的には、本実施例では、店舗内に１００ＢＡＳＥ−Ｔ規格のEthernet（登録商標）によるＬＡＮ（Ｌ）が敷設されており、このＬＡＮ（Ｌ）上の各カラオケ演奏端末（５，５…）はルータ（６）を介してインターネット（Ｎｉ）上のＶＰＮに接続されている。また、ＬＡＮ（Ｌ）上のコンピュータ間の通信にもＴＣＰ／ＩＰが採用されており、ルータ（６）は、その内蔵するＤＨＣＰ（Dynamic Host Configuration Protocol）サーバ機能によって、ＬＡＮ（Ｌ）に接続されている各カラオケ演奏端末（５，５…）にＩＰアドレスを割り当て、各カラオケ演奏端末（５，５…）のＭＡＣ（Media Access Control）アドレスとＩＰアドレスとを対応付けしたテーブルを作成して記憶している。
【００１６】
本実施例の利用者携帯端末（４）はブラウザ機能付き携帯電話であって、携帯電話網（Personal Digital Cellular：ＰＤＣ）およびパケット携帯電話網（Personal Digital Cellular−Packet：ＰＤＣ−Ｐ）に接続可能とされている。このパケット携帯電話網（ＰＤＣ−Ｐ）は所定のゲートウェイシステム（図示省略）を介してインターネット（Ｎｉ）と接続しており、このパケット携帯電話網（ＰＤＣ−Ｐ）を経由して、ＷＷＷサーバ（２）から所定の曲間映像の関連情報が掲載されたモバイルＷｅｂサイトのサイトアドレス情報の提供を受けることができる。
【００１７】
以下、図２に示す、曲間映像の概略的データ構成図と、図３に示す、曲間映像出力スケジュール管理テーブルの構成図と、図４に示す、関連情報サイトアドレス更新管理テーブルの構成図と、図５に示す、関連情報サイトアドレスの表示画面に基づき、請求項１記載の（ア）と（イ）の構成についてさらに詳述する。
【００１８】
先ず、カラオケ演奏端末にてカラオケ楽曲の非演奏時に出力される曲間映像の再生はカラオケ楽曲データの演奏と同じ機能部（音源、音声データ処理部，パターン展開部など）を用いて実行されるため、図２に示す曲間映像データは殆どカラオケ楽曲データと同じように構成されている。すなわち、曲間映像データのＢＧＭデータファイルがカラオケ楽曲データの楽音トラックに対応し、同様に、表示データファイルが歌詞トラックに対応し、音声制御データファイルが音声制御トラックに対応し、ＤＳＰ制御データファイルが効果制御トラックに対応している。音声データは、通常、ＰＣＭ（Pulse Code Modulation）形式にてアナウンスの音声を断片に分割して構成したもので、この断片の音声データを所定の順序で組み合わせることにより、アナウンスが形成される。また、映像データは、通常、ＭＰＥＧ（Moving Picture Experts Group）形式にて構成されており、映像制御データファイルのデータにより出力制御される。さらに、この曲間映像データのヘッダには、個々の曲間映像データを特定するための曲間映像ＩＤとこの曲間映像を所定のタイミングで抽出出力するための抽出出力データが書き込まれている。
【００１９】
図３は、曲間映像出力スケジュール管理テーブル（Ｔ１）であり、図１に示すように、本実施例ではカラオケホスト装置（３）内に設けられているが、本発明はこれに限らず、例えば、ＷＷＷサーバ内に設けても構わない。この管理テーブル（Ｔ１）は、各曲間映像をそれぞれ予め定められた時刻に各カラオケ演奏端末にて一斉出力するための制御データのテーブルであり、個々の曲間映像を特定するための「曲間映像ＩＤ」フィールド（ｆ１）と、その曲間映像ＩＤ毎にカラオケ演奏端末が付帯するディスプレイに映像出力する出力時刻を設定するための「出力時刻」フィールド（ｆ２）から主に構成され、この曲間映像ＩＤ毎の出力時刻データは、カラオケホスト装置から各カラオケ演奏端末に曲間映像データを配信する際、各曲間映像データの上記抽出出力データに書き込まれる。
【００２０】
図４は、関連情報サイトアドレス更新管理テーブル（Ｔ２）であり、図１に示すように、本実施例ではＷＷＷサーバ（２）内に設けられている。この管理テーブル（Ｔ２）は、予め定められた時刻毎、現に出力されている曲間映像の関連情報が掲載された所定のモバイルＷｅｂサイトのサイトアドレスに順次更新し、これを利用者携帯端末に提供するための制御データのテーブルであり、個々の曲間映像を特定するための「曲間映像ＩＤ」フィールド（ｆ３）と、提供するサイトアドレスの更新時刻を設定するための「サイトアドレス更新時刻」フィールド（ｆ４）と、提供するサイトアドレスを表示するための「表示サイトアドレス」フィールド（ｆ５）から主に構成され、曲間映像ＩＤ毎の「サイトアドレス更新時刻」フィールド（ｆ４）の出力時刻データと、その曲間映像ＩＤに対応して上記曲間映像出力スケジュール管理テーブル（Ｔ１）の「出力時刻」フィールド（ｆ２）の出力時刻データとは一致するように構成されている。
【００２１】
そして、これらのデータに基づき、曲間映像の関連情報が掲載された所定のモバイルＷｅｂサイトにアクセス可能な利用者携帯端末に、当該モバイルＷｅｂサイトのサイトアドレスが提供される。図５は、任意の利用者携帯端末（４）における関連情報サイトアドレスの表示画面（Ｄ）であり、この表示画面（Ｄ）には、書誌的事項の他、図４に示す、関連情報サイトアドレス更新管理テーブル（Ｔ２）の「サイトアドレス更新時刻」フィールド（ｆ４）のデータに基づき、利用者は現に出力されている曲間映像を見ている最中に、利用者携帯端末をもってアクセスすれば、その時刻に対応してリアルタイムに、その関連情報が掲載された所定のモバイルＷｅｂサイトのサイトアドレス（ｄ１）がＵＲＬ表示され、提供されている。
【００２２】
以上、詳述したように、本発明のカラオケ曲間映像関連情報提供システムによれば、曲間映像が出力されている最中に、現に出力されている曲間映像の関連情報が掲載された所定のモバイルＷｅｂサイトのサイトアドレスに順次更新して提供されるため、関連情報が掲載された所定のモバイルＷｅｂサイトに容易かつ正確にアクセスでき、リアルタイムでさらに詳細な曲間映像の関連情報を個々のカラオケ利用者に効率的に与えられる。
【図面の簡単な説明】
【００２３】
【図１】本発明のカラオケ曲間映像関連情報提供システムの概略的構成図。
【図２】曲間映像の概略的データ構成図。
【図３】曲間映像出力スケジュール管理テーブルの構成図。
【図４】関連情報サイトアドレスの更新管理テーブルの構成図。
【図５】関連情報サイトアドレスの表示画面。
【符号の説明】
【００２４】
１  カラオケ曲間映像関連情報提供システム
２  ＷＷＷサーバ
３  カラオケホスト装置
４  利用者携帯端末
５  カラオケ演奏端末
Ｔ１  曲間映像出力スケジュール管理テーブル
Ｔ２  関連情報サイトアドレス更新管理テーブル
Ｎｉ  インターネット
【図１】
2006071715.tif 000003
【図２】
2006071715.tif 000004
【図３】
2006071715.tif 000005
【図４】
2006071715.tif 000006
【図５】
2006071715.tif 000007